(57)【要約】  【課題】  制御用信号の配線数を少なくした制御システムを提供することを目的とする。  【解決手段】  パルス発生部３が生成した制御信号は、制御対象たる各安定化電源装置２１〜２５に共通の信号線５を介してすべての制御対象に入力される。各制御対象は、予め設定された形状の制御信号を取得したときのみ制御される構成としておくことで、信号線を制御対象ごとに配線する必要がなく、システムの規模を縮小化することができる。  【選択図】      図１
2007089043.tif 000002
【特許請求の範囲】
【請求項１】
ＯＮ／ＯＦＦ制御される複数の制御対象と、前記制御対象を制御するための制御信号を生成する制御信号生成部と、前記制御信号生成部が出力する制御信号を各制御対象に入力するための信号線と、を備え、
前記制御信号生成部から出力される制御信号は、前記信号線を介してすべての制御対象に入力され、
前記制御対象は、予め制御対象ごとに信号形状が設定されており、前記信号線を介して、当該設定された信号形状の制御信号を取得するとＯＮ／ＯＦＦ制御される構成であることを特徴とする制御システム。
【請求項２】
前記制御対象が、前記信号線から与えられる制御信号を取得する制御信号取得部と、所定の信号形状と制御内容が記憶される設定記憶部と、制御信号取得部で取得された制御信号の信号形状を確認する信号形状確認部と、を備え、
前記信号取得部によって制御信号を取得すると、前記信号形状確認部が、所得信号の形状と前記設定記憶部で記憶される信号形状との比較を行い、形状が一致した場合には、予め定められた制御内容の制御を行うことを特徴とする請求項１に記載の制御システム。
【請求項３】
前記制御信号生成部から出力される前記制御信号はパルス信号であるとともに、前記制御対象ごとに異なる値のパルス幅が予め設定されており、
前記制御信号生成部から出力されるパルス信号のパルス幅を変化させることで、前記複数の制御対象から一の制御対象を選択的に制御することを特徴とする請求項１または請求項２に記載の制御システム。
【請求項４】
前記制御信号生成部が、前記制御対象に対応したパルス幅のパルス信号を所定の周期で繰り返し出力することで、前記複数の制御対象から一の制御対象を選択的に制御することを特徴とする請求項３に記載の制御システム。
【請求項５】
前記制御信号生成部が、異なるパルス幅の制御信号を連続的に前記信号線に出力することで、出力される制御信号のパルス幅に対応する前記制御対象を選択的に制御することを特徴とする請求項１または請求項２に記載の制御システム。
【請求項６】
前記制御信号生成部が出力する制御信号の周期が所定の値であり、
前記制御対象が、与えられる制御信号のパルス幅を一定のタイミングで検知することで当該制御対象に対応する制御信号であるか否かの判断を行うことを特徴とする請求項１または請求項２に記載の制御システム。
【請求項７】
前記制御信号生成部が生成する制御信号が、
所定のパルス幅のパルス信号であって、一定間隔ごとに繰り返し生成されるタイミングパルス信号と、
前記タイミングパルス信号とタイミングパルス信号との間に生成されるパルス信号であって、制御対象を選択するための制御用パルス信号と、で構成され、
前記制御用パルス信号が、前記タイミングパルス信号のパルス幅とは異なる所定のパルス幅のパルス信号であって、タイミングパルス信号とタイミングパルス信号との間に出力される制御用パルス信号のパルス数によって、前記複数の制御対象から一の制御対象を選択的に制御することを特徴とする請求項１または請求項２に記載の制御システム
【請求項８】
前記制御対象が、接続される負荷に対する電源供給の制御を行うための安定化電源装置であって、予め定められた制御信号が入力されると、所定の電圧を接続負荷に供給することを特徴とする請求項１〜請求項７のいずれかに記載の制御システム。
【請求項９】
前記複数の制御対象のうち、少なくとも一つ以上の制御対象に対して複数の信号形状が設定されており、設定される信号形状に応じて、制御対象が行う制御内容が変化することを特徴とする請求項１〜請求項８のいずれかに記載の制御システム。
【請求項１０】
前記制御対象が、接続される負荷に対する電源供給の制御を行うための安定化電源装置であって、
複数の信号形状が設定される安定化電源装置が、設定される信号形状に応じて接続負荷に対して供給する電圧が変化することを特徴とする請求項９に記載の制御システム。
【請求項１１】
ＯＮ／ＯＦＦ制御される複数の制御対象と、前記制御対象を制御するための制御信号を生成する制御信号生成部と、前記制御信号生成部が出力する制御信号を各制御対象に入力するための信号線と、を備える制御システムで利用される制御方法であって、
予め制御対象ごとに信号形状が設定されており、
前記制御対象が、
前記制御信号生成部から出力される制御信号が前記信号線を介して入力されると、入力された制御信号の形状と予め設定された信号形状との比較を行うとともに、信号形状が一致した場合にのみＯＮ／ＯＦＦ制御を行う制御方法。
【発明の詳細な説明】
【技術分野】
【０００１】
本発明は、ＯＮ／ＯＦＦ制御方法に関し、特に複数のＩＣを組み合わせて構成される電子機器のＯＮ／ＯＦＦ制御方法に関するものである。また本発明は、このＯＮ／ＯＦＦ制御方法を用いた制御システムに関するものである。
【背景技術】
【０００２】
各種電子機器は、高付加価値化や高機能化が進んでおり、これらを制御すべく安定化電源装置、ＬＳＩ、液晶ドライバ、モータドライバなどに代表される各種ドライバやＣＰＵ、メモリなどの各構成要素の数量が増大している反面、省スペース化に対応するために小型化が要求されている。
【０００３】
一方で、それと同時に、消費電力の低減化についても要求されている。消費電力を低減するためには、上記各種負荷のＯＮ／ＯＦＦ制御をきめ細かく行うことが必要である。特に、安定化電源装置は、各負荷に対してＯＮ／ＯＦＦ制御を細かく実施する必要がある。
【０００４】
図７は、従来構成のＯＮ／ＯＦＦ制御方法による電子機器９００の構成を示すブロック図である。電子機器９００は、ＬＳＩ９０１と、モータドライバ９０２と、ＣＰＵ９０３と、メモリ９０４と、液晶ドライバ９０５とで構成される各負荷と、これらの負荷に電源を入力するための電源部９１１と、電源部９１１からの電源を受けるとともに、各負荷に対する電源の供給制御を行う安定化電源装置９２１〜９２５と、安定化電源装置９２１〜９２５に対する制御信号を送るためのパルス発生部９１２とを備える。
【０００５】
図７に示すように、電源部９１１からは電源信号線９３１によって、各安定化電源装置９２１〜９２５に対して電源が供給される。また、各安定化電源装置の制御を行うためのＯＮ／ＯＦＦ信号が、パルス発生部９１２から与えられる。このとき、各安定化電源装置それぞれに対して、異なる制御を行うために、パルス発生部９１２からはＯＮ／ＯＦＦ信号線９３３〜９３７が配線される。
【０００６】
すなわち、ＯＮ／ＯＦＦ信号線９３３によってＯＮ／ＯＦＦ信号が安定化電源装置９２１に入力され、ＯＮ／ＯＦＦ信号線９３４によってＯＮ／ＯＦＦ信号が安定化電源装置９２２に入力され、ＯＮ／ＯＦＦ信号線９３５によってＯＮ／ＯＦＦ信号が安定化電源装置９２３に入力され、ＯＮ／ＯＦＦ信号線９３６によってＯＮ／ＯＦＦ信号が安定化電源装置９２４に入力され、ＯＮ／ＯＦＦ信号線９３７によってＯＮ／ＯＦＦ信号が安定化電源装置９２５に入力される。
【０００７】
また、電子機器９００は、電源信号線９３１、ＯＮ／ＯＦＦ信号線９３３〜９３７に加えて、ＧＮＤ線９３２を備える。各負荷９０１〜９０５および各安定化電源装置９２１〜９２５は、ＧＮＤ線９３２と接続される。
【０００８】
そして、ＬＳＩ９０１は、安定化電源装置９２１より電源が供給され、モータドライバ９０２は、安定化電源装置９２２より電源が供給され、ＣＰＵ９０３は、安定化電源装置９２３より電源が供給され、メモリ９０４は、安定化電源装置９２４より電源が供給され、液晶ドライバ９０５は、安定化電源装置９２５より電源が供給される構成である。
【０００９】
安定化電源装置は、上述したように、各負荷に対してＯＮ／ＯＦＦ制御を行う必要があるため、負荷ごとに制御内容が異なり、パルス発生部９１２より入力されるＯＮ／ＯＦＦ信号は、各安定化電源装置それぞれに対して異なる信号であるため、図７に示すように、安定化電源装置ごとにＯＮ／ＯＦＦ信号線を配線する必要がある。なお、このようなＯＮ／ＯＦＦ信号に基づいて制御を行う従来の信号送出回路として、例えば特許文献１が開示されている。
【特許文献１】特開平３−１４３３６号公報
【発明の開示】
【発明が解決しようとする課題】
【００１０】
しかしながら、このように従来構成の制御方法においては、各安定化電源装置ごとにＯＮ／ＯＦＦ信号線を配線する必要があるため、安定化電源装置の数が増大するにつれ、配線も膨大になり、設備規模が大きくなるという問題があった。
【００１１】
また、複数の負荷の制御を信号線とＧＮＤ線の２本で行うべく、複雑な制御信号を判別、認識するためのマイコンを内蔵したシステムがあるが、この場合、常時制御信号を待ち受け状態とする必要があり、マイコン内蔵ＬＳＩの電源を常時動作させる必要があり、電力消費量の面で問題がある。
【００１２】
本発明は、上記の問題点に鑑みて、小型で消費電力の少ない電子機器を実現すべく、当該電子機器が備える各種負荷のＯＮ／ＯＦＦ制御を装置サイズを大きくすることなくきめ細かく行う方法を提供することを目的とする。また、本発明は、このようなＯＮ／ＯＦＦ制御方法を用いた制御システムを提供することを別の目的とする。
【課題を解決するための手段】
【００１３】
上記目的を達成すべく、本発明の制御システムは、ＯＮ／ＯＦＦ制御される複数の制御対象と、前記制御対象を制御するための制御信号を生成する制御信号生成部と、前記制御信号生成部が出力する制御信号を各制御対象に入力するための信号線と、を備え、前記制御信号生成部から出力される制御信号は、前記信号線を介してすべての制御対象に入力され、前記制御対象は、予め制御対象ごとに信号形状が設定されており、前記信号線を介して、当該設定された信号形状の制御信号を取得するとＯＮ／ＯＦＦ制御される構成であることを特徴とする。
【００１４】
このような構成とすることで、各制御対象は、予め設定された形状の制御信号を取得すると所定の制御を行う構成であり、さらに、制御対象ごとに設定形状を異なるものにしてあるため、制御信号生成部が生成する制御信号を各制御対象に与えるための信号線を制御対象ごとに配線することなく、共通化することができる。すなわち、例えば第１の制御対象を制御するための制御信号を制御信号生成部が生成し、当該信号を信号線を介して第１の制御対象を含むすべての制御対象に対して与えても、第１の制御対象以外の制御対象については、設定された形状とは異なる制御信号であるため制御されることがなく、従って目的とする第１の制御対象に対しての制御を行うことができる。
【００１５】
このように複数の制御対象に対する制御を行うための制御信号を送出する信号線を、複数の制御対象に対して共通化することで、個別に信号線を配線する場合と比較して配線を簡略化することができ、これによって制御対象を含む制御システム全般の装置規模の縮小化を図ることができる。
【００１６】
また、このとき、前記制御対象が、前記信号線から与えられる制御信号を取得する制御信号取得部と、所定の信号形状と制御内容が記憶される設定記憶部と、制御信号取得部で取得された制御信号の信号形状を確認する信号形状確認部と、を備え、前記信号取得部によって制御信号を取得すると、前記信号形状確認部が、所得信号の形状と前記設定記憶部で記憶される信号形状との比較を行い、形状が一致した場合には、予め定められた制御内容の制御を行う構成としても構わない。
【００１７】
また、例えば、前記制御信号生成部から出力される前記制御信号はパルス信号であるとともに、前記制御対象ごとに異なる値のパルス幅が予め設定されており、前記制御信号生成部から出力されるパルス信号のパルス幅を変化させることで、前記複数の制御対象から一の制御対象を選択的に制御する構成としても構わない。
【００１８】
このように構成されるとき、パルス幅を変化させることで制御信号の形状を変化させることができるため、制御信号取得部は、各制御対象に応じて制御信号のパルス幅を変えるだけでよく、処理内容が単純である。また、各制御対象は、予め対応するパルス幅を設定しておくのみでよく、制御対象側の設定内容も単純になる。
【００１９】
また、前記制御信号生成部が、前記制御対象に対応したパルス幅のパルス信号を所定の周期で繰り返し出力することで、前記複数の制御対象から一の制御対象を選択的に制御する構成としても構わない。
【００２０】
このとき、各制御対象が、当該制御対象に対応したパルス幅のパルス信号を取得している間は制御を行い、対応したパルス幅のパルス信号を取得しない状態の下では制御を行わない構成として構わない。
【００２１】
また、例えば、前記制御信号生成部が、異なるパルス幅の制御信号を連続的に前記信号線に出力することで、出力される制御信号のパルス幅に対応する前記制御対象を選択的に制御する構成としても構わない。
【００２２】
このように構成されることで、制御信号生成部が種々のパルス幅で構成されるパルス信号を信号線を介して各制御対象に与えることによって、共通の信号線によって複数の制御対象に対して連続的に制御することが可能となる。
【００２３】
また、前記制御信号生成部が出力する制御信号の周期が所定の値であり、前記制御対象が、与えられる制御信号のパルス幅を一定のタイミングで検知することで当該制御対象に対応する制御信号であるか否かの判断を行う構成としても構わない。
【００２４】
このように構成されることで、制御対象は、所定のタイミングで制御信号を検知することで、当該制御対象に対する制御信号か否かの判断を行うことができるため、制御対象が行う処理内容が簡素化される。
【００２５】
また、例えば、前記制御信号生成部が生成する制御信号が、所定のパルス幅のパルス信号であって、一定間隔ごとに繰り返し生成されるタイミングパルス信号と、前記タイミングパルス信号とタイミングパルス信号との間に生成されるパルス信号であって制御対象を選択するための制御用パルス信号と、で構成され、前記制御用パルス信号が、前記タイミングパルス信号のパルス幅とは異なる所定のパルス幅のパルス信号であって、タイミングパルス信号とタイミングパルス信号との間に出力される制御用パルス信号のパルス数によって、前記複数の制御対象から一の制御対象を選択的に制御する構成であるものとしても構わない。
【００２６】
このとき、各制御対象は、タイミングパルス信号の立ち下がり後、次にタイミングパルス信号を関知するまでに与えられる制御用パルス信号のパルス数をカウントし、このカウント数が予め制御対象ごとに定められた値と一致した場合にのみ制御を行う構成とすることで、上述の構成と同様、複数の制御対象を共通の信号線から与えられる制御信号によって制御することが可能となる。なお、このとき、制御対象側において、制御用パルス信号をカウントするためのカウンタが備えられる構成としてもよい。
【００２７】
また、例えば、前記制御対象が、接続される負荷に対する電源供給の制御を行うための安定化電源装置であって、予め定められた制御信号が入力されると、所定の電圧を接続負荷に供給する構成としても構わない。
【００２８】
また、例えば、前記複数の制御対象のうち、少なくとも一つ以上の制御対象に対して複数の信号形状が設定されており、設定される信号形状に応じて、制御対象が行う制御内容が変化する構成としても構わない。
【００２９】
このように構成されることで、一つの制御対象に対して複数の制御内容を割り当てることが可能となり、システム全体としてより柔軟な制御が可能となる。
【００３０】
また、例えば、前記制御対象が、接続される負荷に対する電源供給の制御を行うための安定化電源装置であって、複数の信号形状が設定される安定化電源装置が、設定される信号形状に応じて接続負荷に対して供給する電圧が変化する構成としても構わない。
【００３１】
また、本発明の制御方法は、ＯＮ／ＯＦＦ制御される複数の制御対象と、前記制御対象を制御するための制御信号を生成する制御信号生成部と、前記制御信号生成部が出力する制御信号を各制御対象に入力するための信号線と、を備える制御システムで利用される制御方法であって、予め制御対象ごとに信号形状が設定されており、前記制御対象が、前記制御信号生成部から出力される制御信号が前記信号線を介して入力されると、入力された制御信号の形状と予め設定された信号形状との比較を行うとともに、信号形状が一致した場合にのみＯＮ／ＯＦＦ制御を行うことを特徴とする。
【発明の効果】
【００３２】
本発明の構成によれば、各制御対象が、制御対象ごとに予め定められた制御信号を取得した場合にのみ制御が行われる構成であるため、複数の制御対象に対して制御を行うための制御信号を発生する制御信号生成部から、各制御対象に対して制御信号を入力するための信号線を制御対象ごとに異なる信号線として配線する必要がなく、共通化することができる。これによって、制御対象を含む機器サイズの小型化が可能となる。
【発明を実施するための最良の形態】
【００３３】
本発明の実施形態について、図面を参照して説明する。図１は、本発明のＯＮ／ＯＦＦ制御方法を用いた電子機器の構成を示すブロック図である。
【００３４】
電子機器１は、ＬＳＩ１１と、モータドライバ１２と、ＣＰＵ１３と、メモリ１４と、液晶ドライバ１５とで構成される各負荷と、これらの負荷に電源を入力するための電源部２と、電源部２からの電源を受けるとともに、各負荷に対する電源の供給制御を行う安定化電源装置２１〜２５と、安定化電源装置２１〜２５に対する制御信号を送るためのパルス発生部３とを備える。
【００３５】
図１に示すように、電源部２からは電源信号線４によって、各安定化電源装置２１〜２５に対して電源が供給される。また、各安定化電源装置の制御を行うためのＯＮ／ＯＦＦ信号が、パルス発生部３から与えられる。なお、パルス発生部３から出力されるＯＮ／ＯＦＦ信号は、共通のＯＮ／ＯＦＦ信号線５によって、各安定化電源装置２１〜２５に送られる構成である。なお、同一の信号線によって異なる安定化電源装置の制御を行うことができるように、出力されるパルス信号に特徴を持たせており、この説明については後述する。
【００３６】
また、電子機器１は、上述の電源信号線４およびＯＮ／ＯＦＦ信号線５に加えて、ＧＮＤ線６を備え、各負荷１１〜１５および各安定化電源装置２１〜２５が、ＧＮＤ線９３２と接続される。
【００３７】
そして、ＬＳＩ１１は、安定化電源装置２１より電源が供給され、モータドライバ１２は、安定化電源装置２２より電源が供給され、ＣＰＵ１３は、安定化電源装置２３より電源が供給され、メモリ１４は、安定化電源装置２４より電源が供給され、液晶ドライバ１５は、安定化電源装置２５より電源が供給される構成である。これら安定化電源装置２１〜２５は、パルス発生部３から出力されるＯＮ／ＯＦＦ信号によって、接続される各負荷に対して電源を供給するかしないかの制御を行う。
【００３８】
図２は、パルス発生部３から発生されるパルス信号の一例を示したものであり、図２（ａ）はパルス幅が５０ｍｓ（周期１００ｍｓ）のパルス波形、図２（ｂ）はパルス幅が３０ｍｓ（周期６０ｍｓ）のパルス波形を出力する場合を示している。例えば、安定化電源装置２１は、パルス幅が５０ｍｓのパルス波形が与えられた場合にのみＯＮ／ＯＦＦ制御を行い、他の周期のパルス波形を取得した場合にはＯＮ／ＯＦＦ制御を行わない構成であるものとし、安定化電源装置２２は、パルス幅が３０ｍｓのパルス波形が与えられた場合にのみＯＮ／ＯＦＦ制御を行い、他の周期のパルス波形を取得した場合にはＯＮ／ＯＦＦ制御を行わない構成であるものとする。同様に、他の安定化電源装置２３〜２５についても、それぞれ予め定められた周期のパルス信号を取得した場合にのみＯＮ／ＯＦＦ制御を行う構成であるものとする。
【００３９】
この場合、図２（ａ）に示されるパルス幅５０ｍｓのパルス信号が、パルス発生部３からＯＮ／ＯＦＦ信号線５を通じて各安定化電源装置２１〜２５に与えられると、この周期に対応した安定化電源装置２１のみがＯＮ／ＯＦＦ制御され、他の安定化電源装置はＯＮ／ＯＦＦ制御が行われない。同様に、図２（ｂ）に示されるパルス幅３０ｍｓのパルス信号が、パルス発生部３からＯＮ／ＯＦＦ信号線５を通じて各安定化電源装置２１〜２５に与えられると、この周期に対応した安定化電源装置２２のみがＯＮ／ＯＦＦ制御され、他の安定化電源装置はＯＮ／ＯＦＦ制御が行われない。
【００４０】
このように、各安定化電源装置２１〜２５が、それぞれ異なる信号周期に対応して制御が行われるように設定される構成とするとき、パルス発生部３から発生されるパルス信号のパルス幅、あるいはパルス信号周期を変化させることで、制御対象となる安定化電源装置を変更させることができるため、パルス発生部３から出力されるパルス信号を送出するＯＮ／ＯＦＦ信号線を安定化電源装置それぞれに対して個々に配線することなく、図１に示すように共通化することが可能となる。
【００４１】
なお、このとき、各安定化電源装置２１〜２５は、図３に示されるように、入力されるパルスを取得するパルス取得部３１と、パルス取得部で取得されたパルス波形のパルス幅あるいはパルス周期などを確認するパルス確認部３２と、当該安定化電源装置が制御されるための入力パルスの形状条件および制御内容などが記憶される設定記憶部３３と、負荷に対して供給する電圧を設定する出力電圧設定部３４とで構成されるものとして構わない。
【００４２】
例えば、上述の例で言えば、安定化電源装置２１は、設定記憶部３３において、パルス幅５０ｍｓのパルス波形が入力された場合にのみ接続負荷に対して所定電圧を供給する旨の情報が記憶されている。すなわち、図２（ａ）に示される形状のパルス波がパルス発生部３から発生されると、安定化電源装置２１は、パルス確認部３２において該当するパルス波であることを確認して、接続される負荷であるＬＳＩ１１に対して所定電圧を供給する。一方、例えば図２（ｂ）に示される形状のパルス波がパルス発生部３から発生されると、安定化電源装置２１は、パルス確認部３２において、対応するパルス波でないと判断し、ＬＳＩ１１に対して電圧を供給しない。
【００４３】
一方で、安定化電源装置２２は、図２（ａ）に示される形状のパルス波がパルス発生部３から発生されると、パルス確認部３２において対応するパルス波でないと判断して、接続される負荷であるモータドライバ１２に対して電圧を供給せず、図２（ｂ）に示される形状のパルス波がパルス発生部３から発生されると、パルス確認部３２において対応するパルス波であることを確認して、モータドライバ１２に対して所定電圧を供給する。
【００４４】
このように入力されるパルス波形のパルス幅と、予め設定されている対応パルス幅とが一致したときのみ、接続される負荷に対して電源を供給する制御を行う構成とすることで、パルス発生部３から発生されるパルス信号を送出するＯＮ／ＯＦＦ信号線を複数の安定化電源装置に対して共通化することが可能となる。すなわち、配線数を少なくすることができるため、回路規模を縮小することが可能となる。
【００４５】
なお、このとき、各安定化電源装置が複数のパルス幅に対応する設定であるとともに、これら対応するパルス幅に応じて出力電圧を変更する構成としても構わない。
【００４６】
例えば、安定化電源装置２１が、パルス幅５０ｍｓとパルス幅７５ｍｓの２種類の信号に対応する構成であって、パルス幅５０ｍｓのパルス信号がＯＮ／ＯＦＦ信号線５を通じて与えられると、負荷であるＬＳＩ１１に対して電圧３．３Ｖを供給する一方、パルス幅７５ｍｓのパルス信号がＯＮ／ＯＦＦ信号線５を通じて与えられると、負荷であるＬＳＩ１１に対して電圧５Ｖを供給する構成とすることができる。このように、各安定化電源装置２１〜２５それぞれが、異なる一種類以上のパルス幅のパルス信号に対応して、さらに異なるパルス幅に対して異なる電圧を接続負荷に供給させる構成とすることで、共通のＯＮ／ＯＦＦ信号線で出力電圧の大きさを調整することが可能となる。
【００４７】
このとき、電源部４より供給される電圧より降圧した電圧を負荷に供給する場合には、安定化電源装置がシリーズレギュレータあるいはチョッパレギュレータで構成されるものとし、逆に電源部４より供給される電圧を昇圧して負荷に供給する場合には、スイッチキャパシタ方式、コイル方式などの昇圧チョッパで構成されるものとして構わない。
【００４８】
また、パルス発生部３から発生されるパルス信号によって、複数の安定化電源装置を制御する構成とすることもできる。図４は、パルス発生部３からＯＮ／ＯＦＦ信号線５を介して各安定化電源装置に与えられるパルス信号波形の一例である。
【００４９】
図４に示されるパルス波形は、パルス周期が１００ｍｓと一定の値であって、パルス幅が３０ｍｓ、５０ｍｓ、７０ｍｓなどの異なる値のパルスで構成される波形である。このとき、安定化電源装置２１がパルス幅５０ｍｓに対応しており、安定化電源装置２２がパルス幅３０ｍｓに対応しており、安定化電源装置２３が７０ｍｓに対応しているものとする。なお、各安定化電源装置２１〜２５は、ＯＮ／ＯＦＦ信号線５より与えられるパルス波形の周期が１００ｍｓであることを予め把握しているものとする。これは、例えば安定化電源装置に備えられる設定記憶部３３にパルス周期の値が記憶される構成としても構わない。
【００５０】
このような構成のもとで、図４に示されるパルス波形がＯＮ／ＯＦＦ信号線５より与えられると、パルス幅３０ｍｓのパルス４１を確認して、安定化電源装置２１は負荷であるＬＳＩ１１に対して電源を供給する制御を行う。同様に、パルス幅５０ｍｓのパルス４２を確認して安定化電源装置２２はモータドライバ１２に対して、電源を供給し、パルス幅７０ｍｓのパルス４３を確認して安定化電源装置２３はＣＰＵ１３に対して電源を供給する。
【００５１】
このとき、各安定化電源装置は、それぞれの安定化電源装置に対応した各パルスのパルス幅を認知してから（立ち下がりを関知してから）、予め定められている時間まで電源を供給する構成であるものとして構わない。例えば、安定化電源装置２１が、パルス幅３０ｍｓのパルス４１を確認後（パルス４１の立ち下がり関知後）、所定時間αの間ＬＳＩ１１に電源を供給し、α経過後、次にパルス幅３０ｍｓのパルス信号を関知するまでは電源を供給しないものとしても構わない。他の安定化電源装置においても、同様の構成として構わない。
【００５２】
このように構成されるとき、パルス発生部３より発生されるパルス信号を、パルス周期のみを一定にしたまま、パルス幅を変更させてＯＮ／ＯＦＦ信号線より各安定化電源装置に与えることで、一つのパルス信号によって複数の安定化電源装置の制御を行うことができる。なお、パルス周期を一定とすることで、パルス波の立ち上がりは常に一定間隔で起こるため、一定間隔でパルス幅の検知を各安定化電源装置において行えばよい。
【００５３】
さらに、パルス周期を一定とする上記実施例においても、各安定化電源装置が複数のパルス幅に対応する設定であるとともに、これら対応するパルス幅に応じて出力電圧を変更する構成としても構わない。
【００５４】
また、予め定められたパルス幅のパルス信号の次に送られるパルス信号の幅を関知して、このパルス幅が対応する安定化電源装置のみが制御される構成としてもよい。
【００５５】
図５は、パルス発生部３から発生されるパルス信号の波形の一例である。タイミングパルスとしてパルス幅２０ｍｓのパルス波形が入力された後に制御用のパルス信号が入力される。なお、このタイミングで制御する安定化電源装置がない場合には、制御用パルス信号が入力されない。図５では、タイミングパルス５１の次には制御用パルスが入力されていないため、このタイミングで制御される安定化電源装置は存在せず、一方、次のタイミングパルス５２の後には、制御用パルス６２が、またタイミングパルス５３の後には制御用パルス６３がそれぞれ与えられる構成となっている。
【００５６】
このとき、上記と同様、パルス幅５０ｍｓには安定化電源装置２１が対応しており、パルス幅３０ｍｓには安定化電源装置２２が対応している構成であるとすると、タイミングパルス５２の直後に与えられる制御用パルス６２のパルス幅が５０ｍｓであることを検知して、安定化電源装置２１がＬＳＩ１１に対して所定電圧を供給し、同様にタイミングパルス５３の直後に与えられる制御用パルス６３のパルス幅が３０ｍｓであることを検知して、安定化電源装置２２がモータドライバ１２に対して所定電圧を供給する。
【００５７】
このように構成されることで、タイミングパルスの立ち下がりを関知した後に与えられる制御用パルスのパルス幅を各安定化電源装置が検知して、対応するパルス幅であることを確認したときのみ接続される負荷に対して電源を供給することで、複数の負荷に対する電源制御を共通のＯＮ／ＯＦＦ信号線によって行うことができる。
【００５８】
なお、このとき、各安定化電源装置２１〜２５が電源供給制御を行うべく設定されるパルス幅は、タイミングパルスのパルス幅とは異なる値とされているものとしてよい。さらに、各安定化電源装置が複数のパルス幅に対応する設定であるとともに、これら対応するパルス幅に応じて出力電圧を変更する構成としても構わない。
【００５９】
また、各パルス幅によって制御対象となる安定化電源装置を決定する上記の実施例の他に、予め定められたパルス幅の信号のパルス数によって制御対象を決定する実施例とすることもできる。
【００６０】
図６は、パルス発生部３から発生されるパルス信号の波形の別の一例である。タイミングパルスとしてパルス幅２０ｍｓのパルス波形が入力された後、制御用パルスとして１以上のパルス幅１０ｍｓのパルス信号が入力される。なお、タイミングパルスとタイミングパルスの間に制御用パルスが含まれない場合（すなわちタイミングパルスが連続して与えられる場合）は、当該タイミングで制御を行う安定化電源装置が存在しないことを表しているものとしても構わない。
【００６１】
このようにパルス信号が与えられる場合において、例えば安定化電源装置２１が、タイミングパルスとタイミングパルスとの間に制御用パルスが１つ与えられた場合に電源供給制御を行う構成であり、安定化電源装置２２が制御用パルスが２つ与えられた場合に電源供給制御を行う構成であるものとすると、タイミングパルス７１とタイミングパルス７２の間には制御用パルス８１が１つ与えられるため、タイミングパルス７２を関知した時点で、制御用パルスの数が１つであることを各安定化電源装置２１〜２５は認識し、安定化電源装置２１はＬＳＩ１１に対して所定の電圧を供給する。同様に、タイミングパルス７２とタイミングパルス７３との間には制御用パルスが８２−１および８２−２と２つ与えられる構成であるため、タイミングパルス７３を関知した時点で、制御用パルスの数が２つであることを各安定化電源装置２１〜２５は認識し、安定化電源装置２２はモータドライバ１２に対して所定の電圧を供給する。
【００６２】
このように構成されるとき、予め設定された制御用パルス数に応じて各安定化電源装置が制御されるため、上述の実施例と同様、パルス発生部３から発生されるパルス信号は共通のＯＮ／ＯＦＦ信号線５を介してそれぞれの安定化電源装置に与えることで、それぞれの安定化電源装置を独自に制御を行うことが可能である。
【００６３】
なお、各安定化電源装置が複数の制御パルス数に対応する設定であるとともに、これら対応する制御パルス数に応じて出力電圧を変更する構成としても構わない。
【００６４】
また、上述の各実施例においては、制御対象を安定化電源装置とし、これらに接続される負荷に対して電源を供給するための制御を行うものとして説明を行ったが、この制御方式を利用する対象は安定化電源装置に限られるものではなく、制御信号によってＯＮ／ＯＦＦ制御が行われる各種制御システムに用いられるものである。
【産業上の利用可能性】
【００６５】
本発明のＯＮ／ＯＦＦ制御方法は、各種電子機器に備えられる安定化電源デバイスなどの制御システムに対して好適に利用され得る。特に、複数のＩＣを組み合わせて構成される電子機器の制御システムに好適であり、例えば携帯電話、液晶ＴＶ、ＰＤＰ、ＤＶＤレコーダなどのデジタル家電に代表される電子機器に用いられると好適である。
【図面の簡単な説明】
【００６６】
【図１】は、本発明のＯＮ／ＯＦＦ制御方法を用いた電子機器の構成を示すブロック図である。
【図２】は、パルス発生部３から発生されるパルス信号の一例を示したものである。
【図３】は、安定化電源装置２１〜２５の構成の一例を示すブロック図である。
【図４】は、パルス発生部３から発生されるパルス信号の波形の別の一例である。
【図５】は、パルス発生部３から発生されるパルス信号の波形のさらに別の一例である。
【図６】は、パルス発生部３から発生されるパルス信号の波形のさらに別の一例である。
【図７】は、従来構成のＯＮ／ＯＦＦ制御方法を用いた電子機器の構成を示すブロック図である。
【符号の説明】
【００６７】
１    電子機器
２    電源部
３    パルス発生部
４    電源信号線
５    ＯＮ／ＯＦＦ信号線
６    ＧＮＤ線
１１    ＬＳＩ
１２    モータドライバ
１３    ＣＰＵ
１４    メモリ
１５    液晶ドライバ
２１〜２５    安定化電源装置
３１    パルス取得部
３２    パルス確認部
３３    設定記憶部
３４    出力電圧設定部
【図１】
2007089043.tif 000003
【図２】
2007089043.tif 000004
【図３】
2007089043.tif 000005
【図４】
2007089043.tif 000006
【図５】
2007089043.tif 000007
【図６】
2007089043.tif 000008
【図７】
2007089043.tif 000009